(57)【要約】      （修正有）【課題】通風式屋根材の上面に太陽光発電パネルを配置してなる太陽電池付通風式屋根材を得る。【解決手段】断面がく字状をなし横方向に連続したルーバー本体部と、前記本体部の上端縁部の太陽光発電パネル支持部材と、前記断面く字状の折り曲がり部外側の中間溝部材を一体に有するとともに、前記本体部の下端縁部内側に下縁溝部材を有してなるルーバーを多数備え、互いに隣り合うルーバーを、その一方のルーバーの中間溝部材下に他方のルーバーの下縁溝部材が位置するように互いに上下方向にオーバーラップさせて配置するとともに、隣り合う両ルーバー間に断面がく字状の空隙をもたせて互いに平行に配置してなる通風式屋根材において、前記本体部の上端縁部の太陽光発電パネル支持部材に太陽光発電パネルを配置してなることを特徴とする太陽電池付通風式屋根材。【選択図】図１
0003146378.tif 000002
【実用新案登録請求の範囲】
【請求項１】
通気性を有し且つ雨水の侵入を防ぐ通風式屋根材の上面に太陽光発電パネルを配置してなることを特徴とする太陽電池付通風式屋根材。
【請求項２】
断面がく字状をなし横方向に連続したルーバー本体部と、前記本体部の上端縁部の太陽光発電パネル支持部材と、前記断面く字状の折り曲がり部外側の中間溝部材を一体に有するとともに、前記本体部の下端縁部内側に下縁溝部材を有してなるルーバーを多数備え、互いに隣り合うルーバーを、その一方のルーバーの中間溝部材下に他方のルーバーの下縁溝部材が位置するように互いに上下方向にオーバーラップさせて配置するとともに、隣り合う両ルーバー間に断面がく字状の空隙をもたせて互いに平行に配置してなる通風式屋根材において、前記本体部の上端縁部の太陽光発電パネル支持部材に太陽光発電パネルを配置してなることを特徴とする太陽電池付通風式屋根材。
【請求項３】
請求項２に記載の太陽電池付通風式屋根材において、前記ルーバー本体部の前記く字状形状の両羽根部を湾曲させてなることを特徴とする太陽電池付通風式屋根材。
【考案の詳細な説明】
【技術分野】
【０００１】
本考案は、太陽電池すなわち太陽光発電パネル付通風式屋根材に関する。
【背景技術】
【０００２】
従来、各種建物の屋根材、各種建物間の渡り廊下の屋根材、各種ビルや工場等の建物の排気孔や地下設備の排気孔等がそれらの屋根面に開口されている。また、互いに隣接している建物の間隔が狭い場合や、側面に開口部を設けることができない、両側が閉鎖された商店街のアーケード等の場合のように屋根部分に排気孔を設けざるを得ない場合には、通気用の開口を横向きにするべく屋根から立上げた通気を設け、その側面にルーバーを配置した通気口を設けている。
【０００３】
そのように屋根に排気孔等の通気用開口を設ける場合には、通常の屋根工のほかに通気口のための通気路を横向きにするための造作が必要となり、資材と労力を多く要するという問題があった。
【０００４】
本出願人は、上記ような問題に鑑み、従来の屋根材の代わりに、その一部に特別のルーバーを配置して張るのみで通気性のある屋根材とした通風式屋根材を開発している（特許文献１）。この通風式屋根材は、雨滴の落下を防止するとともに、屋根上方から採光することができ、また屋根の上方から通気することもできる。
【０００５】
【特許文献１】特公平６ー８６７５９号公報
【考案の開示】
【考案が解決しようとする課題】
【０００６】
本考案は、そのような通風式屋根材に加えて、その上面に太陽光発電パネルを配置してなる太陽電池付通風式屋根材を提供することを目的とするものである。
【課題を解決するための手段】
【０００７】
本考案（１）は、通気性を有し且つ雨水の侵入を防ぐ通風式屋根材の上面に太陽光発電パネルを配置してなることを特徴とする太陽電池付通風式屋根材である。
【０００８】
本考案（２）は、断面がく字状をなし横方向に連続したルーバー本体部と、前記本体部の上端縁部の太陽光発電パネル支持部材と、前記断面く字状の折り曲がり部外側の中間溝部材を一体に有するとともに、前記本体部の下端縁部内側に下縁溝部材を有してなるルーバーを多数備え、互いに隣り合うルーバーを、その一方のルーバーの中間溝部材下に他方のルーバーの下縁溝部材が位置するように互いに上下方向にオーバーラップさせて配置するとともに、隣り合う両ルーバー間に断面がく字状の空隙をもたせて互いに平行に配置してなる通風式屋根材において、前記本体部の上端縁部の太陽光発電パネル支持部材に太陽光発電パネルを配置してなることを特徴とする太陽電池付通風式屋根材である。
【０００９】
本考案（３）は、本考案（２）の太陽電池付通風式屋根材において、前記断面く字状のルーバー本体部の該く字状形状の両羽根部を湾曲させてなることを特徴とする太陽電池付通風式屋根材である。
【考案の効果】
【００１０】
本考案によれば、断面がく字状をなした本体部の折れ曲がり部外側及び下縁部内側にそれぞれ溝部材を一体に設けたルーバーを使用し、この両溝部材が上下に重なる配置にオーバーラップさせて各ルーバーを横向きに並べたことにより、屋根材として雨水の侵入を防ぐとともに通風を可能とし、且つ、各ルーバーの上面に太陽光発電パネルを配置したことにより太陽光エネルギーにより発電して電力を得ることができる。
【考案を実施するための最良の形態】
【００１１】
本考案（１）の太陽電池付通風式屋根材は、通気性を有し且つ雨水の侵入を防ぐ通風式屋根材の上面に太陽光発電パネルを配置してなることを特徴とする。
【００１２】
本考案（２）の太陽電池付通風式屋根材における通風式屋根材は、まず、以下（ａ）〜（ｄ）の構造を有する羽根部材すなわちルーバーを使用する。
（ａ）断面がく字状をなし横方向に連続したルーバー本体部を備える。
（ｂ）当該ルーバー本体部の上端縁部に太陽光発電パネルの支持部材を備える。
（ｃ）当該ルーバー本体部の断面く字状の折り曲がり部の外側に中間溝部材を一体に備える。当該中間溝部材は、屋上に向けて折れ曲がった形状であればよいが、その例として断面Ｌ字状の形状とすることができる。
（ｄ）当該ルーバー本体部の下端縁部の内側に断面が逆Ｌ字状をなした下縁溝部材を備える。
【００１３】
次いで、上記（ａ）〜（ｄ）の構造を有するルーバーの複数個を以下（ｅ）〜（ｆ）のように配置する。
（ｅ）複数個のルーバーのうち、相隣り合うルーバーを、その一方のルーバーの中間溝部材下に他方のルーバーの下縁溝部材が位置するように互いに上下方向にオーバーラップさせて配置する。
（ｆ）複数個のルーバーのうち、相隣り合うルーバー間に断面が略く字状の空隙をもたせて互いに平行に配置する。
【００１４】
そして、（ｇ）前記ルーバー本体部の上端縁部の太陽光発電パネル支持部材に太陽電池パネルを配置する。太陽光発電パネルの配置は、上記（ｅ）〜（ｆ）の工程の前でも後でもよい。
【００１５】
本考案の太陽電池付通風式屋根材は上記（ａ）〜（ｇ）の構成を有していればよく、これら構成を有する限り各種変形が可能である。例えば、通風式屋根材のうち、本体部の上端縁部の太陽光発電パネル支持部材は、断面く字状の上端縁部を水平に面状延長するなど適宜の形状に構成することができ、その水平な面状部材の上面に太陽電池を配置する。
【００１６】
これらの構造において、空気は、各ルーバー間の上下に通じる空隙を通って自由に出入する。雨水は垂直に降る場合は、そのほとんどが中間溝部材に受けられ、当該中間溝部材の溝内を流出する。また、横風が強い場合には、風とともに雨水は中間溝部材を越えて空隙の下側に至る。その空隙は上下にく字状となっているので、空気は容易に旋回して通り抜けるが、水滴は遠心力によってルーバーの下側の傾斜面に衝突して流下し、下縁溝部材に受けられる。一方、中間溝部材の立ち上がり縁に付着して溝外に落ちる水は、下縁溝部内に落ちて該溝内を流下して排出される。
【００１７】
本考案における太陽電池は、屋根材の上部に配置しているので、常時太陽光、その反射光に曝されているので、それらの光により常時発電し電力を取り出すことができる。
【実施例】
【００１８】
以下、本考案の実施例を図面を用いて順次説明する。図１〜５は本考案の実施例を説明する図で、図１は断面図、図２は平面図、図３は、図２中太陽電池パネルＴの部分をカットして示した平面図、図４〜５は使用状態の一例を示す断面図である。
【００１９】
図１〜３において、１０、１０・・・はルーバーである。ルーバー１０は、断面がく字状をなし、横方向に連続したルーバー本体部１２を有し、その上端縁部に太陽光発電パネルの支持部材１１が形成されている。支持部材１１は水平方向に平行に所定の幅をもち、ルーバー本体部１２と一体成形されている。そして図１〜２中Ｔとして示すように、支持部材１１の上面に太陽電池パネルＴが配置される。
【００２０】
ルーバー本体部１２のく字状の折り曲がり部の外側に断面がＬ字形をした中間溝部材１３が一体成形され、当該く字状の内側の下縁には断面が逆Ｌ字形の下縁溝部材１４が一体成形されている。このように、本体部１２、中間溝部材１３、下縁溝部材１４によりルーバー１０が構成されている。なお、１６はねじ止め孔である。
【００２１】
このように構成したルーバー１０、１０・・・を互いに平行に並べ、長手方向の両端（図１で言えば、手前側の端と向こう側の端）の枠材１７ａ、１７ｂ、長手方向に対して直角方向の左右両側（図１で言えば、左側の端と右側の端）の枠材１７ｃ、１７ｃからなる枠１７内に固定して屋根材を構成する。そして、各ルーバー１０を、互いに隣り合うルーバー間において、一方の本体部１２の内面と他方の本体部１２の外面との間に断面が略く字状をした空隙１８が形成されるように互いに上下方向にオーバーラップさせて配置する。
【００２２】
太陽電池パネルＴは、太陽光発電パネルの支持部材１１の上面に加えて、枠材１７ａ、１７ｂの上面にも配置することができる。
【００２３】
また、両端枠材１７ａ、１７ｂのうち、一方の端枠材１７ａはルーバー１０の端面を全高にわたって閉鎖する高さに成形されたものが使用され、他方の端枠材１７ｂはルーバー１０の端面を開放するように各ルーバーの上面及び下面に固定されている。このように、開放側端部の上下の端枠材１７ｂ、１７ｂの外側にはカバー材１９が固定され、下側が開放された導水部２０が形成され、その下側に雨樋２１を配置するようになっている。なお、左右両側枠材１７ｃ、１７ｃは、両端枠材１７ａ、１７ｂ及びカバー材１９の各両端部が固定され、全体として長方形状となるように組み立てられる。
【００２４】
このように構成された太陽電池付通風式屋根材の使用に際しては、例えば図４〜５に示すように上向きの通風口２２の開口部に使用する場合、ルーバー１０、１０・・・の長手方向が上下に傾斜する向きで、かつ、導水部２０を下側にした向きに設置して通風口２２の開口を閉鎖する。そして、導水部２０下に雨樋２１を設置する。これは一例であるが、パーゴラ等の平らな屋根の外被材の一部または全部に使用することができる。屋根は幾分傾斜していてもよい。
【００２５】
本太陽電池付通風式屋根材において、空気は空隙１８内を自由に通過し、上から自然に降る雨水は、そのほとんどが中間溝部材１３内に受けられる。一方、風とともに吹き込まれる雨水は、中間溝部材１３より上の本体部１２の斜面に当たった部分のほとんどが中間溝部材１３内に受けられる。その際、反射したしぶきや風とともに中間溝部材１３上を通過した雨水は、空隙１８に沿ってく字状に風向きが曲げられる際に遠心力によって本体部１２の内部下側の斜面に当たって下縁溝材１４に受けられる。
【００２６】
本考案に係る太陽電池付通風式屋根材において、太陽電池Ｔは、通風式屋根材の上部に配置されているので、常時太陽光、その反射光に曝されている。このため、それら太陽光、その反射光により常時発電をし電力を取り出すことができる。
【００２７】
太陽電池付通風式屋根材における通風式屋根材部分は、図１〜２に示すようなものとは限らず、各種形状に構成することができる。図６はその態様例を示す図である。図６のとおり、断面がく字状をなし、横方向に連続したルーバー本体部１２と、前記本体部１２の上端縁部の太陽電池パネル支持部材１１と、前記く字状の折り曲がり部の外側に断面が略Ｌ字状をなした中間溝部材１３を一体に有している。なお、図６中、符号１５として示す短垂下片は、これに沿って雨滴を落下させる役割をするが、必須ではない。
【００２８】
図６中、Ｋとして示すように、略Ｌ字状部を断面く字状の折り曲がり部の基部に向けて傾斜させることで、雨水を断面く字状の折り曲がり部の基部に集め、その流れを良好にすることができる。当該Ｌ字状部は、断面湾曲状にするなど、適宜の形状にすることができる。また、図６中、２３として示すように、下縁溝部材１４と相対する位置にも下縁溝部材を設けることにより、雨水の滴下をさらに良好に防ぐことができる。
【図面の簡単な説明】
【００２９】
【図１】本考案の一実施例を示す図（断面図）
【図２】本考案の一実施例を示す図（平面図）
【図３】図２中太陽光発電パネルをカットして示した面（平面図）
【図４】図２〜３中Ａ−Ａ線断面
【図５】使用状態の一例を示す図
【図６】本考案の他の態様例を示す図（断面図）
【符号の説明】
【００３０】
１０  ルーバー
１１  太陽光発電パネルの支持部材
１２  ルーバー本体部
Ｔ  太陽光発電パネル
１３  中間溝部材
１４  下縁溝部材
１５  短垂下片
１６  ねじ止め孔
１７ａ、１７ｂ  長手方向の両端の枠材
１７ｃ、１７ｃ  長手方向に対して直角方向の左右両側の枠材
１８  空隙
１９  カバー材
２０  導水部
２１  雨樋
２２  上向きの通風口
２３  下縁溝部材
Ｋ  傾斜
【図１】
0003146378.tif 000003
【図２】
0003146378.tif 000004
【図３】
0003146378.tif 000005
【図４】
0003146378.tif 000006
【図５】
0003146378.tif 000007
【図６】
0003146378.tif 000008